(57)【要約】【課題】凹凸屋根の棟構造において、棟面戸の取付作業を簡単かつより短時間で行えるようにする。【解決手段】凹凸屋根１０の棟構造２０は、棟部から軒側に離れた位置に桁方向に沿って配置される棟面戸３０であって、凹部に嵌め込まれて配置される水切り部、および、複数の凹部に配置される複数の水切り部を連結する連結部を有する棟面戸３０と、連結部の上に載置された状態で棟面戸３０と共に屋根材に固定される軒側笠木２４と、棟面戸３０および軒側笠木２４を覆った状態で固定される棟包み部材４０とを備える。【選択図】図１０
2019132037.tif 000002
【特許請求の範囲】
【請求項１】
棟軒方向に延在する凸部および凹部が桁方向に交互に配置されている屋根材が屋根表面に敷設されている凹凸屋根の棟構造であって、
棟部から軒側に離れた位置に桁方向に沿って配置される棟面戸であって、前記凹部に嵌め込まれて配置される水切り部、および、複数の前記凹部に配置される複数の前記水切り部を連結する連結部を有する前記棟面戸と、
前記連結部の上に載置された状態で前記棟面戸と共に前記屋根材に固定される笠木と、
前記棟面戸および前記笠木を覆った状態で固定される棟包み部材と、を備える、凹凸屋根の棟構造。
【請求項２】
前記棟部に形成された開口に換気棟水切り部材が配置される換気部においては、前記棟面戸は、前記笠木に代わって前記換気棟水切り部材が前記棟面戸と共に前記屋根材に固定されている、請求項１に記載の凹凸屋根の棟構造。
【請求項３】
前記棟面戸の連結部は、前記笠木または前記換気棟水切り部材を載置可能な平板状に形成されている、請求項１または２に記載の凹凸屋根の棟構造。
【請求項４】
前記換気棟水切り部材の軒側の縁部には水切り部が形成されている、請求項２または３に記載の凹凸屋根の棟構造。
【発明の詳細な説明】
【技術分野】
【０００１】
本開示は、凹凸屋根の棟構造に関する。
【背景技術】
【０００２】
従来、棟軒方向に延在する凸部および凹部が桁方向に交互に配置されている屋根材が屋根表面に敷設された凹凸屋根が知られている。このような凹凸屋根における棟構造は棟包み部材によって覆われており、屋根内側への雨水等の侵入が防止されている（例えば、特許文献１参照）。
【０００３】
また、凹凸屋根の棟構造には、換気部が設けられることがある。図１〜図６を参照して従来例の凹凸屋根１０の換気部１３について説明する。図１〜６において、棟軒方向が矢印Ｘで示され、棟軒方向と直交する桁方向が矢印Ｙで示され、棟軒方向および桁方向に直交する凹凸屋根１０の法線方向が矢印Ｚで示されている。
【０００４】
図１は、棟構造を組付ける前の凹凸屋根１０を示す斜視図である。凹凸屋根１０の屋根表面には、屋根材１２が敷設されている。屋根材１２は、例えば、薄い金属板によって構成される。屋根材１２には、棟軒方向に延在する凸部１２ａおよび凹部１２ｂが桁方向に交互に形成されている。
【０００５】
また、凹凸屋根１０は、複数の屋根材１２を桁方向に並べて配置し、ジョイント部１４で互いに連結して構成されている。ジョイント部１４は、屋根材１２の凸部１２ａと略同一の外形状を有し、棟軒方向に沿って延伸して形成されている。ジョイント部１４の内部には、樹脂製桟木１６（図９参照）が配置されている。
【０００６】
図１に示すように、凹凸屋根１０の棟部１１おいて換気部１３が設けられる箇所では、両方の軒側で屋根材１２が上面視長方形状に切り欠かれており、この切り欠き部において野地板１５が露出している。図示していないが、野地板１５と屋根材１２との間には、アスファルトルーフィング等の防水シートが配置され、凹凸屋根１０の防水性が確保されている。換気部１３において露出した野地板１５には、上面視で細長い長方形状の開口部１７が形成されている。この開口部１７が屋内空間と屋外空間とを連通する換気口となる。
【０００７】
図２は、凹凸屋根１０の棟部１１を施工する様子を示す図である。図２に示すように、凹凸屋根１０の妻側端部であるケラバを覆ってケラバ化粧カバー１９が固定されている。従来例の棟部１１は、次のようにして施工される。
【０００８】
まず、棟部１１の両側に棟側笠木２２を桁方向に沿って延在するように配置する。棟側笠木２２は、例えば、樹脂製の角形長尺材によって好適に構成される。棟側笠木２２は、上方からねじ込まれるネジによって凹凸屋根１０のジョイント部１４に止め付け固定される。ジョイント部１４には、上述したように樹脂製桟木１６が設けられているため、樹脂製桟木１６にネジがしっかりと掛かることによって棟側笠木２２を強固に固定することができる。
【０００９】
次に、棟側笠木２２から軒側に所定距離だけ離れた位置に棟面戸３０Ａを仮置きする。棟面戸３０Ａは、桁方向に沿って延在する長尺状の部材である。図３は、棟面戸３０Ａの斜視図と端面から見た拡大図である。棟面戸３０Ａは、例えば、金属板によって好適に構成される。
【００１０】
棟面戸３０Ａは、複数の軒側水切り部３２と、各軒側水切り部３２を連結する連結部３４と、連結部３４の軒側端部に折り曲げ形成されている棟側水切り部３６とを備える。
【００１１】
軒側水切り部３２は、図２に示すように、凹凸屋根１０の凹部１２ｂ内に嵌まり込んで配置される。軒側水切り部３２は、図３に示すように、略コ字状をなす水切り本体３２ａと、水切り本体３２ａの軒側端部に折り曲げ形成された返し部３２ｂとを有する。返し部３２ｂは、立壁部に対して例えば４５度の鋭角をなすように傾斜して曲げられている。このような軒側水切り部３２が凹凸屋根１０の凹部１２ｂ内に配置されることで、凹部１２ｂを通って棟構造２０Ａ内に軒側から棟側へ雨水等が浸入するのを抑止できる。
【００１２】
軒側水切り部３２の水切り本体３２ａにおいて棟側の立壁部の両側縁部には、例えばゴム製のパッキン３８が取り付けられている。パッキン３８は、軒側水切り部３２と凹凸屋根１０の凸部１２ａの側面との間を塞いで、雨水等の浸入を阻止する。また、パッキン３８は、水切り本体３２ａの下面に突出して設けられており、軒側水切り部３２が凹部１２ｂに嵌め込まれて配置されたときに水切り本体３２ａと凹部１２ｂの底面との間に隙間が形成されるようになっている。このように隙間が形成されることで、棟部１１において凹部１２ｂ内を棟側から軒側に流れる水を軒側水切り部３２がせき止めることなく流すことができる。
【００１３】
図２および図３に示すように、棟面戸３０Ａの連結部３４は、桁方向に延びる平板状をなし、複数の軒側水切り部３２が連結されて一体に構成されている。棟面戸３０Ａが凹凸屋根１０上に仮置きされたとき、棟面戸３０Ａは連結部３４の下面が凸部１２ａの上面に接触した状態で載置される。
【００１４】
連結部３４の軒側端部には、棟側水切り部３６が略直角に曲げ形成されている。棟側水切り部３６は、上端部が軒側へ折れ曲がって形成された返し部３６ａを有している。この返し部３６ａもまた、例えば４５度の鋭角をなすように傾斜して曲げられているのが好ましい。このような棟側水切り部３６が棟面戸３０Ａに設けられていることで、凹凸屋根１０の凸部１２ａに対応する部分で棟構造２０Ａ内に軒側から棟側へ雨水等が浸入するのを阻止できる。
【００１５】
上記のような構成を有する棟面戸３０Ａが凹凸屋根１０上に仮置きされた状態で、軒側笠木２４が凹凸屋根１０上に桁方向に沿って配置される。軒側笠木２４は、棟側笠木２２と同じ樹脂製の角形長尺部材を用いることができる。軒側笠木２４は、棟面戸３０Ａの軒側水切り部３２の返し部３２ｂの上方に位置して、凹凸屋根１０の複数の凸部１２ａ上に載置された状態に配置される。そして、この状態でまず軒側笠木２４が上方からねじ込まれるネジ２３によって凹凸屋根１０のジョイント部１４に止め付け固定される。ジョイント部１４には、上述したように樹脂製桟木１６が設けられているため、樹脂製桟木１６にネジがしっかりと掛かることによって軒側笠木２４を強固に固定することができる。
【００１６】
軒側笠木２４が固定された後、棟面戸３０Ａがネジ（図示せず）によって凹凸屋根１０に固定される。具体的には、棟面戸３０Ａの連結部３４にネジが凹凸屋根１０のジョイント部１４だけでなく凸部１２ａにもねじ込まれて止め付けられる。
【００１７】
図４は、棟部１１に棟包み部材４０および換気棟水切り部材５０Ａが取り付けられた様子を示す図である。図５は、棟包み部材４０ａおよび換気棟水切り部材５０Ａを示す斜視図である。図６（ａ）は棟構造２０Ａの換気部ではない箇所の断面図、同（ｂ）は棟構造２０Ａの換気部１３における断面図である。図６（ａ），（ｂ）において、棟部１１の中心位置となる棟芯ＭＣが一点鎖線で示されている。
【００１８】
上記のようにして凹凸屋根１０の棟部１１に棟側笠木２２、軒側笠木２４および棟面戸３０Ａが固定された後、図４に示すように、棟包み部材４０が被せられて配置される。棟包み部材４０は、例えば、薄い金属板によって形成される長尺部材である。棟包み部材４０は、図５に示すように、山形に折り曲げられた天面部４２と、天面部４２の軒側端部にＺ方向に沿って折り曲げ形成された側面部４４とを有する。棟包み部材４０は、図４および図６（ａ）に示すように、側面部４４からネジ４６が軒側笠木２４にねじ込まれることによって固定される。また、凹凸屋根１０の棟部１１には、複数の棟包み部材４０が並んで配置され、互いに所定長さ（例えば５０ｍｍ）の重なり代を持たせた状態で固定される。このような重なり代となる部分に内面には、図4中に点線で示すようにシーリング剤４８が塗布され、棟包み部材４０同士の重なり部分から雨水等が浸入するのを防止している。
【００１９】
凹凸屋根１０の換気部１３には、図４に示すように、換気棟水切り部材５０Ａが配置される。換気棟水切り部材５０Ａは、棟側笠木２２が固定される前に、換気部１３に露出した野地板１５上に仮置きされてもよい。
【００２０】
換気棟水切り部材５０Ａは、図５に示すように、山形に折れ曲がった上面部５２と、上面部５２の軒側端部から突出して形成された略Ｌ字状の取付部５４とを備える。本実施形態では、換気棟水切り部材５０Ａにおいて両方の軒側の縁部に４つずつ、合計８つの取付部５４が設けられている。また、換気棟水切り部材５０Ａの上面部５２の長手方向（Ｙ方向）中央部には開口部５３が形成され、この開口部５３の上方を覆うようにＬ字状に折り曲げ形成された換気ガイド部５５が上面部５２と一体に形成されている。開口部５３（および開口部１７）は、換気口となるのに加えて、電線を通す配線口としても機能する。また、換気ガイド部５５は、開口部５３（および開口部１７）を介して屋内から流れ出る空気を軒側へと向けて流すようにガイドする機能を有する。
【００２１】
このような換気棟水切り部材５０Ａが図４に示すように換気部１３に配置される。そして、換気棟水切り部材５０は、図６（ｂ）に示すように、上面部５２の軒側縁部がネジ５６によって野地板１５に固定される。この状態で、換気棟水切り部材５０Ａの開口部５３は、換気部１３において野地板１５に形成された開口部１７に連通している。
【００２２】
その後、図５に示すように、換気棟水切り部材５０Ａの上に棟包み部材４０ａが被せられて配置される。そして、棟包み部材４０ａは、天面部４２から複数（図５では８本）のネジ５８が換気棟水切り部材５０Ａの取付部５４に向けてねじ込まれることによって換気棟水切り部材５０Ａに固定される。
【００２３】
換気部１３に設置される棟包み部材４０ａは、図６（ｂ）に示すように、換気部１３以外に設置される棟包み部材４０に比べて、側面部４４ａの幅が小さく形成されており、凹凸屋根１０の凸部１２ａとの間に隙間５９が形成されるようになっている。この隙間５９が換気棟水切り部材５０Ａの開口部５３および換気部１３における野地板１５の開口部１７に連通して、屋内空間から屋外空間に空気が流れるようになっている。
【先行技術文献】
【特許文献】
【００２４】
【特許文献１】特開２０１４−１９８９４６号公報
【発明の概要】
【発明が解決しようとする課題】
【００２５】
上記のように施工される凹凸屋根１０の棟構造２０Ａでは、軒側笠木２４と棟面戸３０Ａとが屋根材１２に別々に取り付けられるため、多数のネジをねじ込む作業が必要となり、取付作業に手間と時間がかかっていた。また、換気部１３においても、棟面戸３０Ａが換気棟水切り部材５０Ａとは別個に取り付けられていたため、取付作業に手間と時間がかかっていた。
【００２６】
本開示の目的は、棟面戸の取付作業を簡単かつより短時間で行うことができる凹凸屋根の棟構造を提供することである。
【課題を解決するための手段】
【００２７】
本開示に係る凹凸屋根の棟構造は、棟軒方向に延在する凸部および凹部が桁方向に交互に配置されている屋根材が屋根表面に敷設されている凹凸屋根の棟構造である。本開示に係る凹凸屋根の棟構造は、棟部から軒側に離れた位置に桁方向に沿って配置される棟面戸であって、凹部に嵌め込まれて配置される水切り部、および、複数の前記凹部に配置される複数の水切り部を連結する連結部を有する棟面戸と、連結部の上に載置された状態で棟面戸と共に屋根材に固定される笠木と、棟面戸および笠木を覆った状態で固定される棟包み部材とを備える。
【発明の効果】
【００２８】
本開示に係る凹凸屋根の棟構造によれば、棟面戸の取付作業を簡単かつより短時間で行うことができる。
【図面の簡単な説明】
【００２９】
【図１】従来例の棟構造を組付ける前の凹凸屋根を示す斜視図である。
【図２】図１に示す凹凸屋根の棟構造を施工する様子を示す図である。
【図３】図２に示す棟面戸の斜視図と端面から見た拡大図である。
【図４】図２に示した棟部に棟包み部材および換気棟水切り部材が取り付けられた様子を示す図である。
【図５】図４に示した棟包み部材および換気棟水切り部材を示す斜視図である。
【図６】（ａ）は棟構造の換気部ではない箇所の断面図、（ｂ）は棟構造の換気部における断面図である。
【図７】本開示の一実施形態である凹凸屋根の棟構造に用いられる棟面戸の斜視図と端面から見た拡大図である。
【図８】本開示の一実施形態である凹凸屋根の棟構造に用いられる換気棟水切り部材の斜視図である。
【図９】換気棟水切り部材と棟面戸との固定状態を説明するための図である。
【図１０】本開示の一実施形態である凹凸屋根の棟構造において（ａ）は棟構造の換気部ではない箇所の断面図、（ｂ）は棟構造の換気部における断面図である。
【発明を実施するための形態】
【００３０】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００３１】
図７から図１０を参照して本開示の一実施形態である凹凸屋根１０の棟構造２０について説明する。以下では、図１〜図６を参照して上述した従来例の凹凸屋根１０の棟構造２０Ａと同一構成には同一参照符号を付して説明を援用することで省略し、主として相違する構成について説明する。
【００３２】
図７は、本実施形態の凹凸屋根１０の棟構造２０に用いられる棟面戸３０の斜視図と端面から見た拡大図である。図７に示すように、棟面戸３０は、複数の軒側水切り部３２と、各軒側水切り部３２を連結する連結部３４とを備える。連結部３４は、平板状に形成されている。本実施形態の棟面戸３０では、図３に示した棟面戸３０Ａと異なり、連結部３４と一体に形成されていた棟側水切り部３６が設けられていない。
【００３３】
図７に示すように、棟面戸３０の連結部３４は、棟軒方向（矢印Ｘ方向）の幅が一定ではなく、凹部１２ｂに嵌まり込む軒側水切り部３２に対応する部分で細幅となり、凸部１２ａに対応する部分で幅広になっている。また、連結部３４の幅広になった部分には、ネジ挿通孔３５が貫通形成されている。棟面戸３０の他の構成は、図３に示した棟面戸３０Ａと同じである。
【００３４】
このように本実施形態における棟面戸３０は、連結部３４が平板状に形成されており、棟側水切り部３６が形成されていない。したがって、図７中の端面から見た図に示すように、連結部３４の上面に軒側笠木２４を載置した状態で、棟面戸３０を軒側笠木２４と屋根材１２との間に挟んで一緒に固定することができる。したがって、棟面戸３０と軒側笠木２４とを別々に固定する場合に比べて、棟面戸３０の取付作業を簡単かつより短時間で行うことができる。
【００３５】
図８は、本実施形態の凹凸屋根１０の棟構造２０に用いられる換気棟水切り部材５０の斜視図である。本実施形態における換気棟水切り部材５０は、山形に折り曲げられた上面部５２と、上面部５２の軒側端部５７に上方へ突出して形成された略Ｌ字状の取付部５４とを備える。また、上面部５２の桁方向（矢印Ｙ方向）の中央部には、開口部５３および換気ガイド部５５が上面部５２と一体に形成されている。これらの点は、図５等を参照して上述した換気棟水切り部材５０Ａと同様である。
【００３６】
他方、本実施形態における換気棟水切り部材５０は、上面部５２の軒側端部５７が延長されており、延長された部分の縁部に棟側水切り部６０が形成されている。すなわち、本実施形態における棟構造２０では、棟側水切り部６０を棟面戸３０ではなく換気棟水切り部材５０に設けている。換気棟水切り部材５０の棟側水切り部６０の形状および機能は、上述した棟面戸３０Ａの棟側水切り部３６と同様である。
【００３７】
図９は、換気棟水切り部材５０と棟面戸３０との固定状態を説明するための図である。図９に示すように、換気棟水切り部材５０には、上面部５２の軒側端部５７に長穴６２が桁方向に沿って形成されている。換気部１３において、このような長穴６２が形成されている換気棟水切り部材５０を棟面戸３０上に重ねて配置すると、上記長穴６２が棟面戸３０の連結部３４に形成されたネジ挿通孔３５に一致するようになっている。これにより、上方から長穴６２からネジ６４（図１０（ｂ）参照）を棟面戸３０のネジ挿通孔３５に挿入して、凹凸屋根１０の凸部１２ａおよびジョイント部１４にねじ込むことで、棟面戸３０を換気棟水切り部材５０と一緒に固定することができる。
【００３８】
図１０（ａ）は、本開示の一実施形態の凹凸屋根１０の棟構造２０において換気部ではない箇所の断面図であり、同（ｂ）は棟構造２０の換気部１３における断面図である。図１０は、従来例の説明で参照した図６に対応する。図１０（ａ），（ｂ）において、棟部１１の中心位置となる棟芯ＭＣが一点鎖線で示されている。
【００３９】
図１０（ａ）に示すように、本実施形態の凹凸屋根１０の棟構造２０では、棟面戸３０の連結部３４が軒側笠木２４と屋根材１２の凸部１２ａとの間に挟まれた状態で固定されている。また、図１０（ｂ）に示すように、本実施形態の凹凸屋根１０の棟構造２０では、換気部１３において、換気棟水切り部材５０がネジ６４によって棟面戸３０の連結部３４を介して屋根材１２の凸部１２ａおよびジョイント部１４に固定されている。
【００４０】
上述したように、本実施形態に係る凹凸屋根１０は、棟軒方向に延在する凸部１２ａおよび凹部１２ｂが桁方向に交互に配置されている屋根材１２が屋根表面に敷設されている。この凹凸屋根１０の棟構造２０は、棟部１１から軒側に離れた位置に桁方向に沿って配置される棟面戸３０を備える。棟面戸３０は、凹部１２ｂに嵌め込まれて配置される軒側水切り部３２、および、複数の凹部１２ｂに配置される複数の軒側水切り部３２を連結する連結部３４を有する。また、凹凸屋根１０の棟構造２０は、棟面戸３０の連結部３４の上に載置された状態で棟面戸３０と共に屋根材１２に固定される軒側笠木２４と、棟面戸３０および軒側笠木２４を覆った状態で固定される棟包み部材４０とを備える。
【００４１】
この構成によれば、連結部３４の上面に軒側笠木２４を載置した状態で、棟面戸３０を軒側笠木２４と屋根材１２との間に挟んで一緒に固定することができる。したがって、棟面戸３０と軒側笠木２４とを別々に固定する場合に比べて、棟面戸３０の取付作業を簡単に且つより短時間で行うことができる。
【００４２】
また、本実施形態の凹凸屋根１０の棟構造２０では、棟部１１に形成された開口部１７に換気棟水切り部材５０が配置される換気部１３においては、棟面戸３０は、軒側笠木２４に代わって換気棟水切り部材５０が棟面戸３０と共に屋根材１２に固定されている。この構成によれば、換気部１３において、換気棟水切り部材５０と棟面戸３０とを別々に取り付ける場合に比べて、棟面戸３０の取付作業を簡単かつより短時間で行うことができる。
【００４３】
また、本実施形態の凹凸屋根１０の棟構造２０では、棟面戸３０の連結部３４は、軒側笠木２４または換気棟水切り部材５０を載置可能な平板状に形成されている。これにより、棟面戸３０を軒側笠木２４と屋根材１２との間、または、換気棟水切り部材５０と屋根材１２との間に挟んだ状態で一緒に固定することができる。したがって、棟面戸３０の取付作業を簡単かつより短時間で行うことができる。
【００４４】
さらに、本実施形態の凹凸屋根１０の棟構造２０では、換気棟水切り部材５０の軒側端部５７には棟側水切り部６０が形成されている。これにより、凹凸屋根１０の屋根材１２の凸部１２ａに対応する部分で軒側から棟側へ棟構造２０内に雨水等が浸入するのを阻止できる。
【００４５】
なお、本開示に係る凹凸屋根の棟構造は、上述した実施形態およびその変形例に限定されるものではなく、本願の特許請求の範囲に記載された事項の範囲内において種々の変更や改良が可能であることは勿論である。
【符号の説明】
【００４６】
１０  凹凸屋根、１１  棟部、１２  屋根材、１２ａ  凸部、１２ｂ  凹部、１３    換気部、１４  ジョイント部、１５  野地板、１６  樹脂製桟木、１７，５３  開口部  、１９  ケラバ化粧カバー、２０，２０Ａ  棟構造、２２  棟側笠木、２３，４６，５  ６，５８，６４  ネジ、２４  軒側笠木、３０，３０Ａ  棟面戸、３２  軒側水切り部  、３２ａ  水切り本体、３２ｂ，３６ａ  返し部、３４  連結部、３５  ネジ挿通孔、  ３６，６０  棟側水切り部、３８  パッキン、４０，４０ａ  棟包み部材、４２  天面  部、４４，４４ａ  側面部、４８  シーリング剤、５０，５０Ａ  換気棟水切り部材、  ５２  上面部、５４  取付部、５５  換気ガイド部、５７  軒側端部、５９  隙間、６  ２  長穴、ＭＣ  棟芯。
【図１】
2019132037.tif 000003
【図２】
2019132037.tif 000004
【図３】
2019132037.tif 000005
【図４】
2019132037.tif 000006
【図５】
2019132037.tif 000007
【図６】
2019132037.tif 000008
【図７】
2019132037.tif 000009
【図８】
2019132037.tif 000010
【図９】
2019132037.tif 000011
【図１０】
2019132037.tif 000012